(57)【要約】【課題】小口広告主の獲得を容易にして小口広告ビジネスを発展させるとともに小口広告ビジネスの効率化を実現する。【解決手段】インターネットに接続するサーバにてＷｅｂページを開設し、前記ページにて複数の広告掲載枠を有する広告掲載頁への枠毎の広告掲載を募集する広告募集情報を掲載して一般の閲覧に供する手順と、募集に応じた広告主のユーザー情報並びに購入枠数情報及び枠毎の掲載内容情報を広告主端末からネット回線を介して受け取り、前記情報に基いて枠毎の掲載原稿データを作成する手順と、作成した枠毎の掲載原稿データを広告主端末装置へ送信して校正を行なう手順と、確定した枠毎の掲載原稿データを集積して広告掲載頁データを作成する手順とを順次実行し、広告掲載の代金決済をカード決済又はネット銀行決済として行ない、決済の完了を枠購入確定及び掲載原稿データ作成開始の前提条件とする。【選択図】図４
2009026127.tif 000002
【特許請求の範囲】
【請求項１】
インターネットに接続するサーバコンピュータにてＷｅｂページを開設し、前記Ｗｅｂページにて複数の広告掲載枠を有する広告掲載頁への枠毎の広告掲載を募集する広告募集情報を掲載して一般の閲覧に供する手順と、
前記募集に応じた広告主のユーザー情報並びに購入枠数情報及び枠毎の掲載内容情報を広告主端末装置からネット回線を介して受け取り、前記情報に基いて枠毎の掲載原稿データを作成する手順と、
前記作成した枠毎の掲載原稿データを広告主端末装置へ送信し、修正無しの場合は確認メッセージを折り返し受け取り、修正有りの場合は修正内容情報を折り返し受け取って修正し再度送信し修正確認メッセージを受け取り掲載原稿データを確定する手順と、
前記確定した枠毎の掲載原稿データを集積して広告掲載頁データを作成する手順とを順次実行し、
前記広告掲載の代金決済をカード決済又はネット銀行決済として行ない、前記決済の完了を枠購入確定及び掲載原稿データ作成開始の前提条件とすることを特徴とする広告データ作成方法。
【請求項２】
請求項１記載の広告データ作成方法において、
広告主端末装置からネット回線を介して受け取る掲載内容情報は、Ｗｅｂページ上に広告募集情報の一部として掲載した入力テンプレートに広告主端末装置にて入力した情報を含み、前記入力テンプレートには、広告業種毎に一定の入力項目が羅列されていることを特徴とする広告データ作成方法。
【請求項３】
請求項２記載の広告データ作成方法において、
広告主端末装置からネット回線を介して受け取る掲載内容情報には、広告物件に係る画像データが含まれることを特徴とする広告データ作成方法。
【発明の詳細な説明】
【技術分野】
【０００１】
本発明は、広告データ作成方法に係り、更に詳しくは、複数の広告掲載枠を有する広告掲載頁を作成するための方法に関する。
【背景技術】
【０００２】
従来から複数の広告掲載枠を有する広告掲載頁の体裁を備えた広告が知られており、該広告は、新聞・冊子・チラシ・フリーペーパー等の印刷物に掲載されたりＷｅｂ配信されたりして一般需要者の手元に届けられている。またこの種の広告は、複数の広告掲載枠が並べられて枠毎に広告掲載契約がなされることから比較的小口の広告主であっても広告を出し易い利点があるが、実際に広告主を募ってみるとそれまでに契約実績のある広告主のリピート契約であることが多く、広告ビジネスの面からすると停滞感を拭えない。この点は特に都市部よりも地方で顕著であって、広い地域に業者が点在している状況下では新たな小口広告主を獲得するのが困難である。
【０００３】
尚、下記特許文献１に、インターネットに接続したサーバコンピュータにチラシ広告の内容に係る情報を提供するチラシ広告サイトを設け、このチラシ広告サイトを利用する広告掲載者のデータを前記サーバコンピュータに予め登録するとともに、チラシ広告に係る画像を作成する作成ツールをインストールしたブラウザコンピュータによりチラシ広告に係る画像を作成し、当該チラシ広告に係る画像を作成したなら作成したチラシ広告に係る画像のデータを前記サーバコンピュータに転送し、指定した登録期間だけ、転送された当該データを前記チラシ広告サイトに登録するインターネットの広告方法が開示されているが、この従来技術においてはサーバコンピュータではなく広告掲載者のブラウザコンピュータ（広告主端末）にて広告データを作成するようになっており、この点で本発明とは異なる内容となっている。
【０００４】
【特許文献１】特開２００２−７８７２号公報
【発明の開示】
【発明が解決しようとする課題】
【０００５】
本発明は以上の点に鑑みて、これまで実際に広告主に成り得なかった小口広告主の獲得を容易にして小口広告ビジネスを発展させるとともに小口広告ビジネスの効率化を実現することを目的とする。
【課題を解決するための手段】
【０００６】
上記目的を達成するため、本発明の請求項１による広告データ作成方法は、インターネットに接続するサーバコンピュータにてＷｅｂページを開設し、前記Ｗｅｂページにて複数の広告掲載枠を有する広告掲載頁への枠毎の広告掲載を募集する広告募集情報を掲載して一般の閲覧に供する手順と、前記募集に応じた広告主のユーザー情報並びに購入枠数情報及び枠毎の掲載内容情報を広告主端末装置からネット回線を介して受け取り、前記情報に基いて枠毎の掲載原稿データを作成する手順と、前記作成した枠毎の掲載原稿データを広告主端末装置へ送信し、修正無しの場合は確認メッセージを折り返し受け取り、修正有りの場合は修正内容情報を折り返し受け取って修正し再度送信し修正確認メッセージを受け取り掲載原稿データを確定する手順と、前記確定した枠毎の掲載原稿データを集積して広告掲載頁データを作成する手順とを順次実行し、前記広告掲載の代金決済をカード決済又はネット銀行決済として行ない、前記決済の完了を枠購入確定及び掲載原稿データ作成開始の前提条件とすることを特徴とする。
【０００７】
また、本発明の請求項２による広告データ作成方法は、上記した請求項１記載の広告データ作成方法において、広告主端末装置からネット回線を介して受け取る掲載内容情報は、Ｗｅｂページ上に広告募集情報の一部として掲載した入力テンプレートに広告主端末装置にて入力した情報を含み、前記入力テンプレートには、広告業種毎に一定の入力項目が羅列されていることを特徴とする。
【０００８】
また、本発明の請求項３による広告データ作成方法は、上記した請求項２記載の広告データ作成方法において、広告主端末装置からネット回線を介して受け取る掲載内容情報には、広告物件に係る画像データが含まれることを特徴とする。
【０００９】
上記内容の本発明においては、広告主を募るために先ず、インターネットに接続するサーバコンピュータにてＷｅｂページが開設され、このＷｅｂページに複数の広告掲載枠を有する広告掲載頁への枠毎の広告掲載を募集する広告募集情報が掲載されて一般の閲覧に供される。Ｗｅｂページへのアクセスは主体的若しくは地理的に原則全く制限がないことから、たとえ遠隔地の業者であっても何処へも出向くことなく手元の端末装置を操作するのみで容易に広告募集情報を見ることができる。
【００１０】
広告募集情報を見て広告掲載を希望する業者は、手元の端末装置からネット回線を介してサーバ側へユーザー情報を送信して先ずユーザー登録し、引き続き購入枠数及び枠毎の掲載内容の各情報を送信して掲載枠購入の申し込みをする。サーバ側は、受け取った情報に基いて枠毎の掲載原稿データを作成する。この種の複数の広告掲載枠を有する広告掲載頁の体裁の広告は広告掲載頁毎に広告業種が予め限定され（例えば中古車販売用広告又は不動産販売広告等）、枠毎の掲載項目も定型化され（例えば中古車販売の場合、車種、年式、色、走行距離及び販売価格等が掲載項目とされ、不動産販売の場合は物件態様（売地若しくは売家等の別）、物件所在地、販売価格等が掲載項目とされる）、更には掲載原稿データのフォーマットも幾種類かに定型化されるのが一般であるので、好ましくは広告業種毎に一定の入力項目を羅列した入力テンプレートを広告募集情報の一部としてＷｅｂページ上に予め掲載することにより、これを案内として一定の項目情報を送受信する。広告の種類によっては項目情報とともに広告物件に係る画像データ（例えば中古車又は不動産物件の写真データ又は図面データ等）を送受信する。したがって受け取った情報を後（あと）はフォーマットに従って置き換えることになるから、掲載原稿データは受信した情報から自動生成することが可能であり、作成したデータはデータベースにて保存する。
【００１１】
また、作成した枠毎の掲載原稿データを広告主端末装置へ送信し、修正無しの場合は確認メッセージを折り返し受け取り、修正有りの場合は修正内容情報を折り返し受け取って修正し再度送信し修正確認メッセージを受け取ることにより掲載原稿データを確定する。これはいわゆる校正のための手順であって、この校正手順もネット回線等の通信手段を介して行なわれる。また以上の手順は枠毎になされるので、必要な校正を行ない内容的に確定した枠毎の掲載原稿データを複数集めて広告掲載頁としての体裁のデータ（広告掲載頁データ）に纏め上げ、この纏め上げたデータを例えばメディアに提供する。
【００１２】
したがって、広告主としては、何処へも出向くことなく手元の端末装置を操作するのみで広告掲載の依頼及び掲載内容のチェック（校正）を経て広告が実際に発行されることから、たとえ１枠（１口）のみであってもこの種の広告を気軽に出せる利点がある。また、広告代理店等の広告データ作成者にとっては、その反射的効果として、これまで広告主に成り得なかった小口広告主を獲得することができる利点がある。
【００１３】
尚、ネット上又はこれに付随するメール上の送受信のみにて広告掲載の契約がなされると、広告代理店等の広告データ作成者としては広告主側の契約不履行すなわち代金不払いが懸念される。そこで本発明では、広告掲載の代金決済をカード決済又はネット銀行決済として行ない、決済の完了を枠購入確定及び掲載原稿データ作成開始の前提条件とすることにした。したがって、双方契約の履行も円滑化される。
【発明の効果】
【００１４】
以上のように本発明によれば、広告掲載の申し込みが増加するのを期待することができる。したがって本発明所期の目的どおり、これまで実際に広告主に成り得なかった小口広告主の獲得を容易にして小口広告ビジネスを発展させることが可能となる。また、上記インターネットやＷｅｂページ等を積極的に利用することにより小口広告ビジネスの効率化を実現することも可能となる。
【発明を実施するための最良の形態】
【００１５】
つぎに本発明の実施例を説明する。
【００１６】
図１は、本発明の実施例に係る広告データ作成方法の実施に使用するシステム系統のブロック図である。当該システム系統において、符号１は広告代理店等の広告データ作成者により運営される広告募集・広告データ作成のためのシステムサイトで、Ｗｅｂサーバ及びアプリケーションサーバよりなるサーバコンピュータ（システムサーバ又は広告・情報掲載サーバとも称する）２を備え、また当該方法を実行するためのサイト運用プログラム３及び各種の情報データを登録するためのデータベース４を備えている。システムサーバ２においてはインターネットＮに接続されるとともに広告募集のためのＷｅｂページが開設され、任意のブラウザコンピュータ５からアクセス可能とされる。ブラウザコンピュータ５には前記Ｗｅｂページを見て広告掲載を希望する広告主のブラウザコンピュータ（広告主端末とも称する）が含まれる。また符号６は広告掲載契約に係る決済処理を実行するクレジットカード会社又はネット銀行等の決済会社サーバで、システムサーバ２とインターネットＮ又はその他の通信手段でリンクし、また広告主端末５と通信可能とされている。また符号７は、作成した広告データを新聞・冊子・チラシ・フリーペーパー等の印刷物に掲載したりＷｅｂ配信したりする新聞社等のメディア会社サーバで、システムサーバ２において作成した広告データを受信するようシステムサーバ２とインターネットＮ又はその他の通信手段で通信可能とされている。
【００１７】
図２及び図３は、システムサーバ２の構成を示し、当該サーバ２は、通信部２１、広告枠管理部２２、制作管理部２３、顧客管理部２４、決済・売上管理部２５及び掲載媒体管理部２６を備え、また上記したように各種の情報データを登録するデータベース４を備えている。通信部２１は通信を担当し、このなかにはインターネットＮ又はその他の通信手段を介して広告主端末５、決済会社サーバ６又はメディア会社サーバ７と通信することが含まれる。広告枠管理部２２は広告枠の管理を担当し、このなかにはＷｅｂページを開設し、Ｗｅｂページに掲載する広告募集情報を管理し、広告主端末５からユーザー情報並びに購入枠数情報及び枠毎の掲載内容情報等の各情報を受信してデータベース４に登録することが含まれる。制作管理部２３は広告データ作成の管理を担当し、このなかには上記登録したユーザー情報並びに購入枠数情報及び枠毎の掲載内容情報に基いて枠毎の掲載原稿データをプログラムに従って作成し、作成した原稿データをデータベース４に登録することが含まれる。また広告主端末５と通信して作成データの校正処理を行なう。また確定した複数の掲載原稿データに基いて広告掲載頁データをプログラムに従って作成し、作成したデータをデータベース４に登録することが含まれる。顧客管理部２４は顧客すなわち広告主に係る情報を管理する。決済・売上管理部２５は決済・売上の管理を担当し、このなかには決済会社サーバ６と通信して決済状況を確認し、決済完了を制作管理部２３へ通知することが含まれる。掲載媒体管理部２６は掲載媒体すなわちメディア会社に係る情報の管理を担当し、このなかには作成した広告データをメディア会社サーバ７へ送信することが含まれる。データベース４には上記広告主端末５から送信される個別情報のほかに、広告データの作成に係る掲載原稿データや広告掲載頁データのフォーマット等が予め登録されている。
【００１８】
上記Ｗｅｂページは、トップページ及びシステム利用説明ページ等に引きつづき、申込受付中の広告枠を紹介する募集内容紹介ページ、ログインページ、購入枠数選択ページ、原稿入力ページ及び決済ページ等を順次ブラウザコンピュータ５の表示画面に表示する。例えば図７に示すように複数の広告掲載枠６３を有する中古車販売用・新聞掲載用の広告掲載頁６２への枠毎の広告掲載を募集する場合、募集内容紹介ページは、広告掲載新聞名、新聞掲載日、掲載フォーマット、申込受付期間、１枠掲載価格、販売枠数及びキャンセル条件等を広告募集情報として表示する。ログインページは、上記広告募集情報を見て広告掲載を希望する中古車販売業者（広告主）にログイン入力を促す入力欄を表示する。また初回利用者のためにユーザー登録（広告主登録）するようメッセージを表示し、登録選択ボタンのクリックによりユーザー登録ページを表示する。ユーザー登録ページは、広告主の法人名、法人住所、免許番号、代表者名、担当者名、メールアドレス、電話番号、ＦＡＸ番号及びログインＩＤ・パスワード等の入力を促す入力欄を表示する。購入枠数選択ページは、広告主に購入枠数の入力を促す入力欄を表示する。入力項目は購入希望の枠数であるので「１」「２」「３」・・・と数字入力することになる。原稿入力ページは、広告主に枠毎の掲載内容情報の入力を促す入力欄を表示する。入力項目は中古車の場合、物件カテゴリ（セダン若しくはステーションワゴン等の別）、営業所名、営業所電話番号、年式、車種、カラー、価格、車検、走行距離、シフト、装備及びリサイクル情報等であって、また広告に中古車の写真を掲載するために画像データをｊｐｇ形式又はｐｄｆ形式等で入力項目の１つとして添付する。決済ページは、広告主に枠購入（広告掲載）の代金決済をカード決済又はネット銀行決済で行なうようメッセージを表示し、カード会社又はネット銀行のサイトへのリンク選択ボタンを表示する。したがって手順としては以下のようになる。
【００１９】
すなわち図４に示すように、システムサーバ２において先ずＷｅｂページを開設し（Ｓ１０１）、Ｗｅｂページ上に広告募集情報を掲載する（Ｓ１０２）。新聞等への広告掲載には掲載期日があり、広告募集には募集期限があるので、募集情報の内容は予めデータベース４に登録した情報に従って逐次更新される。広告主端末５において上記Ｗｅｂページにアクセスすると（Ｓ１０３）、トップページ及びシステム利用説明ページ等に引きつづきその時々の広告募集情報を掲載した募集内容紹介ページを表示画面に表示するので（Ｓ１０４）、広告募集情報を見て広告掲載を希望する場合はログインページにてログイン又はユーザー登録のうえログインする（Ｓ１０５）。次いで、購入枠数選択ページを画面に表示し、該ページに購入枠数の入力を促すメッセージ及び入力欄を表示するので、該入力欄に購入枠数を入力する（Ｓ１０６）。次いで、原稿入力ページを画面に表示し、該ページに枠毎の掲載内容の入力を促すメッセージ及び入力欄を表示するので、該入力欄に枠毎の掲載内容情報を入力する（Ｓ１０７）。購入枠数が複数の場合は枠毎に入力操作を繰り返す。次いで、決済ページを画面に表示し、該ページに決済を促すメッセージ及びリンク選択ボタンを表示するので（Ｓ１０８）、決済する場合は該ボタンをクリックしてカード会社又はネット銀行のサイトへアクセスして決済を申し込み（Ｓ１０９）、ネット上で決済処理を済ませる（Ｓ１１０）。上記入力した購入枠数情報及び枠毎の掲載内容情報はシステムサーバ２へ送信されデータベース４に登録される。これで申込完了である。
【００２０】
尚、上記原稿入力ページにおける枠毎の掲載内容情報の入力は、図５に示すように広告業種毎に一定の入力項目を羅列した形式の入力テンプレート３１を表示画面に表示するので、この入力テンプレート３１による案内に従って必要とされる各情報を入力する。これにより入力項目が画一化され、掲載原稿データの自動作成が可能となる。入力項目としては上記したように中古車販売の場合、物件カテゴリ３１１、営業所名３１２、営業所電話番号３１３、年式３１４、車種３１５、カラー３１６、価格３１７、車検状況３１８、走行距離３１９、シフトの種類３２０、装備状況３２１及びリサイクル情報３２２等の入力欄が設定され、これらの各入力欄に各情報を文字入力又はクリックによる選択方式で入力する。また画像データを添付するための添付欄３２３が設定されているので、ここで画像データを添付ファイルとして入力する。
【００２１】
上記決済会社サーバ６においては、決済処理を完了すると決済完了通知をシステムサーバ２へ送信するので（Ｓ１１１）、これを受けてシステムサーバ２は申込受付が完了した旨及び後日校正用ＵＲＬを掲載したメールを送信する旨のメッセージを広告主端末５へ送信する（Ｓ１１２）。この送信内容は上記Ｗｅｂページ内にて表示する。また当該データ作成手順においては広告掲載の代金決済をカード決済又はネット銀行決済として行ない、決済の完了を枠購入確定及び掲載原稿データ作成開始の前提条件とするので、決済会社サーバ６からの決済完了通知を受領して以下の広告データ作成手順が開始される。
【００２２】
すなわちシステムサーバ２においては、上記入力されたユーザー情報並びに購入枠数情報及び枠毎の掲載内容情報に基いて枠毎の掲載原稿データを作成する（Ｓ１１３）。上記入力された掲載内容情報はデータベース４に登録され、一方、図６（Ａ）に示すように掲載原稿データのフォーマット４１も予めデータベース４に登録されているので、各掲載内容情報を個別にフォーマット４１のレイアウトに従って割り振るシステムサーバ２のデータ作成機能により図６（Ｂ）に示すような掲載原稿データ５１を作成する。フォーマット４１には上記テンプレート３１における入力項目に従って営業所名４１２、営業所電話番号４１３、年式４１４、車種４１５、カラー４１６、価格４１７、車検状況４１８、走行距離４１９、シフトの種類４２０、装備状況４２１及びリサイクル情報４２２に係る各データを掲載するデータ掲載領域が予め設定され、また業者（広告主）法人名４２３に係るデータを掲載するデータ掲載領域が予め設定され、更に画像データ４２４を掲載するデータ掲載領域が予め設定されているので、各掲載内容情報を個別にフォーマット４１のレイアウトに従って割り振ることになり、これにより図６（Ｂ）に示すような掲載原稿データ５１を作成する。掲載原稿データ５１には上記フォーマット４１のレイアウトに従って営業所名５１２、営業所電話番号５１３、年式５１４、車種５１５、カラー５１６、価格５１７、車検状況５１８、走行距離５１９、シフトの種類５２０、装備状況５２１及びリサイクル情報５２２に係る各データが掲載され、業者（広告主）法人名５２３に係るデータが掲載され、更に画像データ５２４が掲載される。尚、上記データのうち業者（広告主）法人名４２３に係るデータは先の広告主登録データから抽出される。
【００２３】
上記掲載原稿データ５１の作成につき、システムサーバ２のデータ作成機能の詳細は以下のとおりである。
すなわち、広告主が広告主端末５を使用して図５の原稿入力フォーマット（テンプレート）３１にしたがってデータ登録することにより、システムサーバ２の制作管理部２３で登録データを受け、登録データが図６（Ａ）のレイアウトに振り分けられる。振り分けられたデータは図６（Ｂ）に示すように画像データとして生成され、システムサーバ２の制作管理部２３から広告主端末５に送信する。広告主は図６（Ｂ）の画像データを確認して校正・校了を確認する。修正がある場合、図５のフォーマット（テンプレート）３１から修正を加え、図６（Ｂ）の画像データを再び確認する。校了の場合は登録を終了する。
【００２４】
次いで、システムサーバ２においては、上記作成した枠毎の掲載原稿データ５１を校正用ＵＲＬとして広告主端末５へ送信する（Ｓ１１４）。そして広告主によるチェックの結果、修正無しの場合、広告主端末５は確認メッセージをシステムサーバ２へ送信し（Ｓ１１５）、システムサーバ２は掲載原稿データ５１を確定データとして登録する（Ｓ１１６）。また、修正有りの場合は広告主端末５において修正内容情報を入力・送信し（Ｓ１１７）、これを受け取ってシステムサーバ２は校正処理を行ない（Ｓ１１８）、再度掲載原稿データを校正用ＵＲＬとして広告主端末５へ送信する（Ｓ１１４）。そして広告主による再チェックの結果、修正無しとなると広告主端末５は修正確認メッセージをシステムサーバ２へ送信し（Ｓ１１５）、システムサーバ２は掲載原稿データ５１を確定データとして登録する（Ｓ１１６）。以上の手順は広告掲載枠毎になされるので、データベース４には確定データが逐次貯えられてゆく。以上により複数の枠毎の掲載原稿データ５１が作成される。
【００２５】
次いで、システムサーバ２においては、上記登録した複数の掲載原稿データ５１に基いてこれらを纏めた広告掲載頁データ６２を作成する（Ｓ１１９）。上記したように複数の掲載原稿データ５１はデータベース４に登録され、一方、広告掲載頁データ６２のフォーマットも予めデータベース４に登録されているので、各掲載原稿データ５１を個別にフォーマットのレイアウトに従って割り振るシステムサーバ２のデータ作成機能により、図７に示すような広告掲載頁データ６２を作成する。具体的にはフォーマットに設定される複数の広告掲載枠のうち１番枠に１番データを掲載し、２番枠に２番データを掲載すると云うように割り振りを行なうことになる。
【００２６】
上記広告掲載頁データ６２の作成につき、システムサーバ２のデータ作成機能の詳細は以下のとおりである。
すなわち、システムサーバ２の制作管理部２３において作成された図６（Ｂ）の掲載原稿データ５１は広告主毎に纏められ、校了した広告主順から図７の広告掲載頁６１にレイアウトされる。
【００２７】
以上により複数の掲載原稿データ５１の集積よりなる広告掲載頁データ６２が作成され、広告データの作成が終了する（Ｓ１２０）。作成した広告データは事前の契約に基いて新聞社等のメディア会社サーバ７へ送信され、メディア会社において新聞等の印刷物に掲載されたりＷｅｂ配信されたりして一般需要者に提供されることになる。尚、上記実施例で広告取扱商品を自動車（中古車）としたのは一例であって、これに限定されず、例えば不動産などに関する広告であっても良い。
【図面の簡単な説明】
【００２８】
【図１】本発明の実施例に係る広告データ作成方法の実施に使用するシステム系統のブロック図
【図２】システムサーバの説明図
【図３】同システム系統及びサーバの説明図
【図４】同広告データ作成方法の手順を示すシーケンスチャート
【図５】入力テンプレートの一例を示す説明図
【図６】掲載原稿データの一例を示す説明図
【図７】広告掲載頁データの一例を示す説明図
【符号の説明】
【００２９】
１  システムサイト
２  システムサーバ（サーバコンピュータ）
３  サイト運用プログラム
４  データベース
５  ブラウザコンピュータ（広告主端末装置）
６  決済会社サーバ
７  メディア会社サーバ
２１  通信部
２２  広告枠管理部
２３  制作管理部
２４  顧客管理部
２５  決済・売上管理部
２６  掲載媒体管理部
３１  入力テンプレート
４１  フォーマット
５１  掲載原稿データ
６１  広告掲載頁
６２  広告掲載頁データ
６３  広告掲載枠
【図１】
2009026127.tif 000003
【図２】
2009026127.tif 000004
【図３】
2009026127.tif 000005
【図４】
2009026127.tif 000006
【図５】
2009026127.tif 000007
【図６】
2009026127.tif 000008
【図７】
2009026127.tif 000009